(57)【特許請求の範囲】
【請求項１】
ストリートコードブラケットと少なくとも一対の絶縁輪を含み、各対の絶縁輪は、１つの第１絶縁輪と１つの第２絶縁輪を含み、前記ストリートコードブラケットは、１つの縦向きのベースとベースに並列して設けられる少なくとも２つの横向きの取付ベースを含み、取付ベースの一端は、ベースに固定又はしっかりと接続され、各第２絶縁輪は、それぞれ１つの取付ベースに横向きにセットし、各第１絶縁輪は、それぞれ隣接する２つの取付ベースの間に縦向きに配置し、縦向きの接続ロッドの貫通により取付ベースに固定し、前記第１絶縁輪に、ケーブルをその上に固定するのに用いる第１ワイヤクランプが取り付けられ、前記第２絶縁輪に、ケーブルをその上に固定するのに用いる第２ワイヤクランプが取り付けられることを特徴とするデュアルホイールワイヤー固定装置。
【請求項２】
前記第１絶縁輪と前記第２絶縁輪は、側周面内が凹み、中心に軸穴が設けられたコラムホイール構造であり、前記第２絶縁輪の前記ベースに近い一端の外径は、他端の外径より大きいことを特徴とする請求項１に記載のデュアルホイールワイヤー固定装置。
【請求項３】
前記取付ベースに、少なくとも一段の横向きのシャフト構造が設けられ、前記第２絶縁輪は、このシャフト構造に横向きにセットし、その上で回転できることを特徴とする請求項２に記載のデュアルホイールワイヤー固定装置。
【請求項４】
前記第１絶縁輪の軸穴及び／又は前記第２絶縁輪の軸穴内に金属ブッシングが設けられることを特徴とする請求項１に記載のデュアルホイールワイヤー固定装置。
【請求項５】
前記第１ワイヤクランプ及び／又は第２ワイヤクランプは、統合型ペアフックワイヤクランプであり、前記統合型ペアフックワイヤクランプは、１つのクランププレート、１つの接続プレートと少なくとも２つのＪ型クランプを含み、前記Ｊ型クランプのサイドロッドは、ロックロッドであり、前記クランププレートに、ロックロッドと対応するロック穴が設けられ、少なくとも２つのロック穴は、クランププレートにおいて、対角に設けられ、Ｊ型クランプのロックロッドは、それぞれクランププレートのロック穴を垂直に貫通し、ロック機構によってクランププレートと動くように接続し、前記接続プレートの背面は、各Ｊ型クランプのフック内側に重ね継ぎし、接続プレートの正面は、クランププレートの正面と対向し、それぞれ絶縁輪の両側に設け、絶縁輪の一方の側は、クランププレートの正面か接続プレートの正面と当接し、他方の側は、各Ｊ型クランプのロックロッド及び接続プレートの正面かクランププレートの正面と共にケーブルが貫通する経路を形成することを特徴とする請求項１〜４のいずれかに記載のデュアルホイールワイヤー固定装置。
【請求項６】
前記接続プレートの背面に、前記Ｊ型クランプに対応する位置限定スロットが設けられ、前記Ｊ型クランプのフック内側は、前記位置限定スロットに嵌め込んで、これとタイトフィットすることを特徴とする請求項５に記載のデュアルホイールワイヤー固定装置。
【請求項７】
前記ロック機構は、ねじ接続機構であり、前記ねじ接続機構は、前記ロックロッドに、おねじが設けられ、前記ロックロッドは、さらにロックナットがねじ接続されることを特徴とする請求項５に記載のデュアルホイールワイヤー固定装置。
【請求項８】
前記ロック機構は、逆止セルフロック機構であり、前記逆止セルフロック機構の構造は、前記ロックロッドに、連続して並ぶ複数の斜め向きのロックロッドの先端の逆止リング歯が設けられ、ロック穴側辺に、開口が設けられ、開口内に、動くロックブロックが設けられ、ロックブロックのロックロッドに近い側に、逆止リング歯と噛合うロック歯が設けられ、ロックブロックのロックロッドから外れた側は、ロックスプリングに当接し、ロックスプリングの他端は、前記開口の側壁に当接することを特徴とする請求項５に記載のデュアルホイールワイヤー固定装置。
【請求項９】
前記開口は、前記クランププレート背面に設けたロックスロットであり、ロックスロットに、カバープレートが設けられ、前記ロックブロックとロックスプリングは、ロックスロットに配置し、ロックスプリングの一端は、ロックブロックに当接し、他端は、ロックスロット側壁に当接し、ロックブロックは、カバープレートとロックスロット底部のガイドの下、動くことを特徴とする請求項８に記載のデュアルホイールワイヤー固定装置。
【請求項１０】
圧力受けブロックを更に含み、前記圧力受けブロックの一方の側に、突起構造が設けられ、前記接続プレートの正面及び／又は前記クランププレートの正面に、凹孔構造が設けられ、突起構造は、凹孔構造に挿入して、これと締り嵌めることを特徴とする請求項５に記載のデュアルホイールワイヤー固定装置。
【請求項１１】
前記接続プレートの正面及び／又は前記クランププレートの正面は、凹曲構造であることを特徴とする請求項５に記載のデュアルホイールワイヤー固定装置。
【請求項１２】
前記接続プレートの正面及び／又は前記クランププレートの正面は、更に、滑り止め突起か滑り止めストライプが設けられることを特徴とする請求項５に記載のデュアルホイールワイヤー固定装置。
【請求項１３】
前記統合型ペアフックワイヤクランプの材質は、金属材料からなる内枠体とプラスチック又はゴム材料からなる外枠体を含むことを特徴とする請求項５に記載のデュアルホイールワイヤー固定装置。
【請求項１４】
前記クランププレートの背面は、更に前記ロックロッドを保護するのに用いる保護カバーが設けられ、前記保護カバーは、前記クランププレートと取り外し可能につなぐことを特徴とする請求項５に記載のデュアルホイールワイヤー固定装置。
【請求項１５】
前記第１絶縁輪は、スプール絶縁体を採用し、前記接続プレート又はクランププレートの上、下は、それぞれに沿って前記スプール絶縁体の上、下リングスロットと噛合うことができる湾曲リブが設けられることを特徴とする請求項５に記載のデュアルホイールワイヤー固定装置。
【発明の詳細な説明】
【技術分野】
【０００１】
本発明は、ケーブルの取付分野に関し、具体的には、デュアルホイールワイヤー固定装置である。
【背景技術】
【０００２】
ケーブルワイヤを架設する時、一般的に、ストリートコードによってケーブルワイヤを真っ直ぐに固定し、従来のストリートコードは、壁面又は電柱に取付け可能なストリートコードブラケットとケーブルを支持するのに用いる絶縁体からなり、ケーブルはストリートコードを貫通する時、一般的に、絶縁体にくっつき、ねじる方式でケーブルと絶縁体を束ねて固定しており、このような方式の効率は低下し、且つ、束ねる方式と束ねる緊さは、いずれも統一の基準が無く、偶然性が大きく、容易にワイヤーの固定を強固ではなくし、長時間使用すると緩み、ねじるのは、通常、アルミニウムワイヤー等の金属ワイヤーを採用し、ケーブル外皮に直接巻きつけると、ケーブル外皮が損傷し、ケーブルの過熱や漏電短絡等の危険があり、絶縁ケーブルは、金属ワイヤーと直接接触して漏電する危険がある。
【０００３】
また、従来のストリートコードは、一般的に、１組のケーブルしか固定できず、複数組のケーブルを通す必要がある時、従来のストリートコードを複数取り付けなければならず、資源を浪費するだけではなく、多くのスペースを占用し、特に、建築物の壁面に従来のストリートコードブラケットの取り付けが多すぎると、建築物の壁面全体の美観に大きく影響し、多くの安全上の危険がある。
【発明の概要】
【発明が解決しようとする課題】
【０００４】
本発明の目的は、デュアルホイールワイヤー固定装置を提供することであり、そのデュアルホイールワイヤー固定装置は、ケーブルをストリートコードブラケットに固定して、ねじってケーブルを束ねる方式を置き換えることができ、操作は簡便で、ケーブルの外皮を損傷しにくく、従来のストリートコードのストリートコードブラケットと第１絶縁輪を残し、活用範囲は広く、ケーブルの把持は強固で外れにくい。また、そのデュアルホイールワイヤー固定装置は、１つのストリートコードブラケットに、１組、２組、３組か４組のケーブルを同時に固定することができ、ケーブルの配置をコンパクトにして、スペースを削減する。
【課題を解決するための手段】
【０００５】
本発明は、下記の技術案によって実現される。
デュアルホイールワイヤー固定装置は、ストリートコードブラケットと少なくとも一対の絶縁輪を含み、各対の絶縁輪は、１つの第１絶縁輪と１つの第２絶縁輪を含み、前記ストリートコードブラケットは、１つの縦向きのベースとベースに並列して設けられる少なくとも２つの横向きの取付ベースを含み、取付ベースの一端は、ベースに固定又はしっかりと接続され、各第２絶縁輪は、それぞれ１つの取付ベースに横向きにセットし、各第１絶縁輪は、それぞれ隣接する２つの取付ベースの間に縦向きに配置し、縦向きの接続ロッドの貫通により取付ベースに固定し、前記第１絶縁輪に、ケーブルをその上に固定するのに用いる第１ワイヤクランプが取り付けられ、前記第２絶縁輪に、ケーブルをその上に固定するのに用いる第２ワイヤクランプが取り付けられる。
【０００６】
好ましくは、前記第１絶縁輪と前記第２絶縁輪は、側周面内が凹み、中心に軸穴が設けられたコラムホイール構造であり、前記第２絶縁輪の前記ベースに近い一端の外径は、他端の外径より大きい。
【０００７】
好ましくは、前記取付ベースに、少なくとも一段の横向きのシャフト構造が設けられ、前記第２絶縁輪は、このシャフト構造に横向きにセットし、その上で回転できる。
【０００８】
好ましくは、前記第１絶縁輪の軸穴及び／又は前記第２絶縁輪の軸穴内に金属ブッシングが設けられる。
【０００９】
好ましくは、前記第１ワイヤクランプ及び／又は第２ワイヤクランプは、統合型ペアフックワイヤクランプであり、前記統合型ペアフックワイヤクランプは、１つのクランププレート、１つの接続プレートと少なくとも２つのＪ型クランプを含み、前記Ｊ型クランプのサイドロッドは、ロックロッドであり、前記クランププレートに、ロックロッドと対応するロック穴が設けられ、少なくとも２つのロック穴は、クランププレートにおいて、対角に設けられ、Ｊ型クランプのロックロッドは、それぞれクランププレートのロック穴を垂直に貫通し、ロック機構によってクランププレートと動くように接続し、前記接続プレートの背面は、各Ｊ型クランプのフック内側に重ね継ぎし、接続プレートの正面は、クランププレートの正面と対向し、それぞれ絶縁輪の両側に設け、絶縁輪の一方の側は、クランププレートの正面か接続プレートの正面と当接し、他方の側は、各Ｊ型クランプのロックロッド及び接続プレートの正面かクランププレートの正面と共にケーブルが貫通する経路を形成する。
【００１０】
好ましくは、前記接続プレートの背面に、前記Ｊ型クランプに対応する位置限定スロットが設けられ、前記Ｊ型クランプのフック内側は、前記位置限定スロットに嵌め込んで、これとタイトフィットする。
【００１１】
好ましくは、前記ロック機構は、ねじ接続機構であり、前記ねじ接続機構は、前記ロックロッドに、おねじが設けられ、前記ロックロッドは、さらにロックナットがねじ接続される。
【００１２】
好ましくは、前記ロック機構は、逆止セルフロック機構であり、前記逆止セルフロック機構の構造は、前記ロックロッドに、連続して並ぶ複数の斜め向きのロックロッドの先端の逆止リング歯が設けられ、ロック穴側辺に、開口が設けられ、開口内に、動くロックブロックが設けられ、ロックブロックのロックロッドに近い側に、逆止リング歯と噛合うロック歯が設けられ、ロックブロックのロックロッドから外れた側は、ロックスプリングに当接し、ロックスプリングの他端は、前記開口の側壁に当接する。
【００１３】
好ましくは、前記開口は、前記クランププレート背面に設けたロックスロットであり、ロックスロットに、カバープレートが設けられ、前記ロックブロックとロックスプリングは、ロックスロットに配置し、ロックスプリングの一端は、ロックブロックに当接し、他端は、ロックスロット側壁に当接し、ロックブロックは、カバープレートとロックスロット底部のガイドの下、動く。
【００１４】
好ましくは、圧力受けブロックを更に含み、前記圧力受けブロックの一方の側に、突起構造が設けられ、前記接続プレートの正面及び／又は前記クランププレートの正面に、凹孔構造が設けられ、突起構造は、凹孔構造に挿入して、これと締り嵌める。
【００１５】
好ましくは、前記接続プレートの正面及び／又は前記クランププレートの正面は、凹曲構造である。
【００１６】
好ましくは、前記接続プレートの正面及び／又は前記クランププレートの正面は、更に、滑り止め突起か滑り止めストライプが設けられる。
【００１７】
好ましくは、前記統合型ペアフックワイヤクランプの材質は、金属材料からなる内枠体とプラスチック又はゴム材料からなる外枠体を含む。
【００１８】
好ましくは、前記クランププレートの背面は、更に前記ロックロッドを保護するのに用いる保護カバーが設けられ、前記保護カバーは、前記クランププレートと取り外し可能につなぐ。
【００１９】
好ましくは、前記第１絶縁輪は、スプール絶縁体を採用し、前記接続プレート又はクランププレートの上、下は、それぞれに沿って前記スプール絶縁体の上、下リングスロットと噛合うことができる湾曲リブが設けられる。
【発明の効果】
【００２０】
本発明のデュアルホイールワイヤー固定装置の有益な効果は、（１）ワイヤクランプがケーブルをストリートコードブラケットの絶縁輪に固定することによって、ねじってケーブルを束ねる方式を置き換え、ケーブルの外皮を損傷しにくく、ケーブルの固定は強固で外れにくい。（２）ストリートコードブラケットに、２組のワイヤクランプを同時に設置して、各組のワイヤクランプは、１組か２組のケーブルを同時に固定でき、１つのストリートコードブラケットは、１組、２組、３組か４組のケーブルを同時に固定することができ、ケーブルの配置をコンパクトにして、スペースを削減する。（３）Ｊ型クランプ構造は、簡単で、取り付け易くて、柔軟であり、接続プレート用いて各Ｊ型クランプを１つに接続して、Ｊ型クランプの取り付け易くて、柔軟である利点を残すだけでなく、ケーブルは、ストリートコードブラケットにおいて、直線の通過であろうが、湾曲の通過であろうが、いずれもストリートコードに強固に固定することができ、いずれも絶縁輪と共にケーブルを把持でき、ケーブル配置は柔軟である。（４）ロックロッドの逆止リング歯とクランププレートロック穴内のロックブロック、ロックスプリングの噛合いによって、逆止セルフロック機構を形成し、ロックロッドは、クランププレートにおいて、前進しかできず、後退できず、操作する時、直接、クランププレートをロックロッドに挿入すると、自動ロックして、緩くなりにくく、開ける必要がある時、ロックスプリングを押し戻すだけで、ロックブロックを戻して、クランププレートをロックロッドから自由に取り出すことができ、操作は極めて軽快で、使い易く、特に、高所の架線施工に適する
【００２１】
以下に、図面を結合して、本発明の目的、特徴及び効果を十分に理解するために、本発明の構想、具体構造及び奏する効果を更に説明する。
【図面の簡単な説明】
【００２２】
【図１】本発明のデュアルホイールワイヤー固定装置の構造概略図である。
【図２】図１のストリートコードブラケットと絶縁輪の構造概略図である。
【図３】図１のストリートコードブラケットの構造概略図である。
【図４】実施例１の統合型ペアフックワイヤクランプの構造概略図である。
【図５】図４の分解立体図である。
【図６】図４のＪ型クランプの構造概略図である。
【図７】図４のクランププレートの構造概略図である。
【図８】図４の接続プレートの構造概略図である。
【図９】図１の第１絶縁輪の構造概略図である。
【図１０】図１の第２絶縁輪の構造概略図である。
【図１１】本発明のデュアルホイールワイヤー固定装置の使用状態の参考図である。
【図１２】本発明実施例２の統合型ペアフックワイヤクランプの分解構造概略図である。
【発明を実施するための形態】
【００２３】
本発明の目的、技術案及び利点を更に明確、明白にするために、以下に、図面を結合して、本発明を更に詳細に説明する。ここで記述する具体的な実施例は、本発明を説明するためでしかなく、本発明を限定するためではないことを理解しなければならない。
【００２４】
説明が必要なこととして、文中で使用する用語「正面」、「背面」、「前」、「後」及び同様の表現は、本発明を説明するためでしかなく、本発明を限定するためではない。
【００２５】
［１．第１実施形態］
図１−１１に示すように、デュアルホイールワイヤー固定装置は、ストリートコードブラケット１と４対の絶縁輪を含み、各対の絶縁輪は、１つの第１絶縁輪１１と１つの第２絶縁輪１２を含み、ストリートコードブラケット１は、１つの縦向きのベース１３とベース１３に並列して設けられる５つの横向きの取付ベース１４を含み、取付ベース１４の一端は、ベース１３に固定接続し、各第２絶縁輪１２は、それぞれ１つの取付ベース１４に横向きにセットし、各第１絶縁輪１１は、それぞれ隣接する２つの取付ベース１４の間に縦向きに配置し、縦向きの接続ロッド１５の貫通により取付ベース１４に固定し、第１絶縁輪１１に、ケーブル３をその上に固定するのに用いる第１ワイヤクランプ２０１が取り付けられ、第２絶縁輪１２に、ケーブル３をその上に固定するのに用いる第２ワイヤクランプ２０２が取り付けられる。
【００２６】
各組の架設ケーブルワイヤは、通常４組のケーブルワイヤを含み、ストリートコードブラケット１に、対応する数の第１絶縁輪１１と第２絶縁輪１２を設け、その上に取り付ける第１ワイヤクランプ２０１と第２ワイヤクランプ２０２は、それぞれ少なくとも１組のケーブル３を固定でき、ストリートコードブラケット１において１組、２組又は２組以上のケーブル３を同時に固定して、ケーブル３の配置をコンパクトにして、スペースを削減する。ワイヤクランプがケーブル３をストリートコードブラケット１の絶縁輪に固定することによって、ねじってケーブル３を束ねる方式を置き換え、ケーブル３の外皮を損傷しにくく、ケーブル３の固定は強固で外れにくい。
【００２７】
好ましい実施方式として、図９、１０に示すように、第１絶縁輪１１と第２絶縁輪１２は、側周面内が凹み、中心に軸穴が設けられたコラムホイール構造であり、第２絶縁輪１２のベース１３に近い一端の外径は、他端の外径より大きい。この構造は、第２絶縁輪１２に固定したケーブル３がストリートコードブラケット１のベース１３の方向へ滑り落ちてベース１３にくっついてケーブル３の外皮の摩耗又はケーブル３の外皮の絶縁構造の破壊を防ぐことができる。
【００２８】
好ましい実施方式として、図３に示すように、取付ベース１４に、少なくとも一段の横向きのシャフト構造１４１が設けられ、第２絶縁輪１２は、このシャフト構造１４１に横向きにセットし、その上で回転できる。架線施工時、ケーブル３を真っ直ぐにするか引っ張る必要がある時、ケーブル３を第２絶縁輪１２の凹面内に置いて、ケーブル３を引っ張る過程で第２絶縁輪１２を動かして回転し、第２絶縁輪１２は、引っ張りケーブル３に対して回転支持を提供して、引っ張るか、真っ直ぐにする過程でケーブル３を更に容易にして、ワイヤのクランプ施工の効率を上げることができ、引っ張る過程でケーブル３とストリートコードブラケット１は、互いに擦れて摩耗することなく、ケーブル３の外皮が擦られず効果的に保護できる。
【００２９】
好ましい実施方式として、第１絶縁輪１１の軸穴及び／又は第２絶縁輪１２的軸穴内に金属ブッシングが設けられる。
【００３０】
好ましい実施方式として、図４、５に示すように、第１ワイヤクランプ２０１と第２ワイヤクランプ２０２は、統合型ペアフックワイヤクランプであり、統合型ペアフックワイヤクランプは、１つのクランププレート２２、１つの接続プレート２３と２つのＪ型クランプ２１を含み、Ｊ型クランプ２１のサイドロッドは、ロックロッド２１２であり、クランププレート２２に、ロックロッド２１２と対応するロック穴２２２が設けられ、少なくとも２つのロック穴２２２は、クランププレート２２において、対角に設けられ、Ｊ型クランプ２１のロックロッド２１２は、それぞれクランププレート２２のロック穴２２２を垂直に貫通し、ロック機構によってクランププレート２２と動くように接続し、接続プレート２３の背面は、各Ｊ型クランプ２１のフック２１１内側に重ね継ぎし、接続プレート２３の正面は、クランププレート２２の正面と対向し、それぞれ絶縁輪（第１絶縁輪１１か第２絶縁輪１２）の両側に設け、絶縁輪の一方の側は、クランププレート２２の正面か接続プレート２３の正面と当接し、他方の側は、各Ｊ型クランプ２１のロックロッド２１２及び接続プレート２３の正面かクランププレート２２の正面と共にケーブル３が貫通する経路を形成する。ロック機構は、ねじ接続機構を用いて、ロックロッド２１２に、おねじ２１２１が設けられ、ロックロッド２１２に、さらにロックナット２１３がねじ接続され、ロックナット２１３を締めることでクランププレート２２を接続プレート２３の方向にロックして、ケーブル３を絶縁輪に固定できる。
【００３１】
操作する時、オペレーターは、ケーブル３を絶縁輪側面にくっつけて経路を貫通し、この時、２つのＪ型クランプ２１のロックロッド２１２それぞれは、ケーブル３の両側にあり、それからＪ型クランプ２１のロックナット２１３によってクランププレート２２を接続プレート２３の方向にロックすると、ケーブル３を絶縁輪に固定して、ねじってケーブル３を束ねる方式を置き換えることができ、ケーブル３の外皮を損傷しにくく、ケーブル３の固定は強固で外れにくい。接続プレート２３を用いて各Ｊ型クランプ２１を１つに接続して、Ｊ型クランプ２１の取り付け易く、柔軟である利点を残すだけでなく、ケーブル３の把持が安定している利点も有し、ケーブル３は、ストリートコードにおいて、直線の通過であろうが、湾曲の通過であろうが、いずれもストリートコードに強固に固定することができ、そして、接続プレート２３及び／又はクランププレート２２はいずれも絶縁輪と共にケーブル３を把持できる、即ち、１つのワイヤクランプは、１本か２本のケーブル３を同時に通過でき、第１ワイヤクランプ２０１と第２ワイヤクランプ２０２は、実際の状況に基づき、１本、２本、３本か４本のケーブル３を同時に通過でき、１つのストリートコードブラケット１において、１組、２組、３組か４組のケーブル３を同時に固定できる。
【００３２】
好ましい実施方式として、図８に示すように、接続プレート２３の背面に、Ｊ型クランプ２１に対応する位置限定スロット２３１が設けられ、Ｊ型クランプ２１のフック２１１内側は、位置限定スロット２３１に嵌め込んで、これとタイトフィットする。この構造は、Ｊ型クランプ２１が接続プレート２３から滑り落ちるのを防止することができる。
【００３３】
好ましい実施方式として、図５に示すように、デュアルホイールワイヤー固定装置は、圧力受けブロック２５を更に含み、圧力受けブロック２５の一方の側に突起構造２５１が設けられ、接続プレート２３の正面とクランププレート２２の正面に凹孔構造２５２が設けられ、突起構造２５１は、凹孔構造２５２に挿入して、これと締り嵌める。この構造は、圧力受けブロック２５の固定がし易く、圧力受けブロック２５が滑り落ちるのを防止し、圧力受けブロック２５の一方の側と接続プレート２３の正面かクランププレート２２の正面と当接し、他方の側は、絶縁輪と当接し、接続プレート２３とクランププレート２２のうち１つは絶縁輪と共にケーブル３を把持するのに用いる時、もう１つは、絶縁輪との間に圧力受けブロック２５を設けて、押される面積を増やして、接続プレート２３又はクランププレート２２の耐圧力を強化して、接続プレート２３又はクランププレート２２が押されて変形したり損壊するのを防ぐことができる。
【００３４】
好ましい実施方式として、図７、８に示すように、接続プレート２３の正面とクランププレート２２の正面は、凹曲構造であり、この凹曲構造は、更に強固にケーブル３を接続プレート２３又はクランププレート２２正面の中心に近い位置に固定でき、ケーブル３の固定は強固である。
【００３５】
好ましい実施方式として、図７、８に示すように、接続プレート２３の正面とクランププレート２２の正面に、更に滑り止め突起か滑り止めストライプ２６が設けられて、ケーブル３と接続プレート２３かクランププレート２２との摩擦力を増して、ケーブル３を固定する強固性を増す。
【００３６】
好ましい実施方式として、統合型ペアフックワイヤクランプの材質は、金属材料からなる内枠体とプラスチック又はゴム材料からなる外枠体を含む。金属内枠体は、強固性を増すことができ、プラスチック又はゴムの外層は、加工造形しやすく、ケーブル３との間の接触面積を増やし、ねじって束ねる方式と比べて、絶縁配置を統一し、ケーブル３は、金属ブラケットに接触せず、安全が保障され、ケーブル３の外皮の摩耗や擦れを大きく減少する。
【００３７】
好ましい実施方式として、図５に示すように、クランププレート２２の背面は、更にロックロッド２１２を保護するのに用いる保護カバー２７が設けられ、保護カバー２７は、クランププレート２２と取り外し可能につなぐ。
【００３８】
好ましい実施方式として、図７、９に示すように、第１絶縁輪１１は、スプール絶縁体を採用し、接続プレート２３又はクランププレート２２の上、下は、それぞれに沿ってスプール絶縁体の上、下リングスロットと噛合うことができる湾曲リブ２８が設けられる。この構造は、接続プレート２３とクランププレート２２それぞれがスプール絶縁体と接触する面積を増やして、耐圧力を強化でき、接続プレート２３とクランププレート２２がスプール絶縁体から滑り落ちるのを防ぐことができる。
【００３９】
［２．他の実施形態］
実施例１の技術案を基礎に、統合型ペアフックワイヤクランプのロック機構に逆止セルフロック機構を採用する。
【００４０】
図１２に示すように、好ましい実施方式として、ロック機構は、逆止セルフロック機構であり、逆止セルフロック機構の構造は、ロックロッド２１２に、連続して並ぶ複数の斜め向きのロックロッド２１２の先端の逆止リング歯２１２２が設けられ、ロック穴２２２側片に、開口が設けられ、開口内に、動くロックブロック２２３が設けられ、ロックブロック２２３のロックロッド２１２に近い側に、逆止リング歯２１２２と噛合うロック歯２２３１が設けられ、ロックブロック２２３のロックロッド２１２から外れた側は、ロックスプリング２２４に当接し、ロックスプリング２２４の他端は、開口の側壁に当接する。ロックロッド２１２がロック穴２２２入口から挿入する時、ロックスプリング２２４は、ロックブロック２２３を押してロックブロック２２３のロック歯２２３１をロックロッド２１２の逆止リング歯２１２２に当接して、ロックロッド２１２を制限し、それが前進するだけで、逆向きに動かないようにできる。ロックロッド２１２の逆止リング歯２１２２とロック穴２２２内のロックブロック２２３、ロックスプリング２２４の噛合いによって、逆止セルフロック機構を形成し、ロックロッド２１２は、クランププレート２２において、前進しかできず、後退できず、操作する時、直接、クランププレート２２をロックロッド２１２に挿入すると、自動ロックして、緩くなりにくく、開ける必要がある時、ロックスプリング２２４を押し戻すだけで、ロックブロック２２３を戻して、クランププレート２２をロックロッド２１２から自由に取り出すことができ、操作は極めて軽快で、使い易く、特に、高所の架線施工に適する。図１２では、接続プレートと保護カバー構造を省略している。
【００４１】
好ましい実施方式として、開口は、クランププレート２２背面に設けたロックスロット２２５であり、ロックスロット２２５に、カバープレート２２６が設けられ、ロックブロック２２３とロックスプリング２２４は、ロックスロット２２５に配置し、ロックスプリング２２４の一端は、ロックブロック２２３に当接し、他端は、ロックスロット２２５側壁に当接し、ロックブロック２２３は、カバープレート２２６とロックスロット２２５底部のガイドの下、動き、ロックブロック２２３がロックスロット２２５における動きを円滑にして、ロックブロック２２３が滑り落ちるのを防ぐ。
【００４２】
図面には、本発明の好ましい実施例を与えている。しかしながら、本発明は、多くの異なる形態により実現されてもよく、本明細書に記述する実施例に限定しない。反対に、これらの実施例を提供する目的は、本発明の公開内容の理解を更に徹底的且つ包括的にすることである。
【符号の説明】
【００４３】
１…ストリートコードブラケット
１１…第１絶縁輪
１２…第２絶縁輪
１３…ベース
１４…取付ベース
１４１…シャフト構造
１５…接続ロッド
２０１…第１ワイヤクランプ
２０２…第２ワイヤクランプ
２１…Ｊ型クランプ
２１１…フック
２１２…ロックロッド
２１２１…おねじ
２１３…ロックナット
２１２２…逆止リング歯
２２…クランププレート
２２２…ロック穴
２２３…ロックブロック
２２３１…ロック歯
２２４…ロックスプリング
２２５…ロックスロット
２２６…カバープレート
２３…接続プレート
２３１…位置限定スロット
２５…圧力受けブロック
２５１…突起構造
２５２…凹孔構造
２６…滑り止めストライプ
２７…保護カバー
２８…湾曲リブ
３…ケーブル
【図１】
0006808087.tif 000002
【図２】
0006808087.tif 000003
【図３】
0006808087.tif 000004
【図４】
0006808087.tif 000005
【図５】
0006808087.tif 000006
【図６】
0006808087.tif 000007
【図７】
0006808087.tif 000008
【図８】
0006808087.tif 000009
【図９】
0006808087.tif 000010
【図１０】
0006808087.tif 000011
【図１１】
0006808087.tif 000012
【図１２】
0006808087.tif 000013